【手続補正書】
【提出日】平成17年6月22日(2005.6.22)
【手続補正１】
【補正対象書類名】明細書
【補正対象項目名】特許請求の範囲
【補正方法】変更
【補正の内容】
【特許請求の範囲】
【請求項１】
以下の（Ａ）、（Ｂ）、（Ｃ）、および必要に応じて（Ｄ）の反応生成物
を含有する組成物：
（Ａ）少なくとも１種のオレフィン性不飽和炭化水素重合体であって、該重合体は、それが星形重合体でないとき、約２０，０００〜約５００，０００の範囲のＭｎを有し、それが星形重合体のとき、約４，０００，０００までのＧＰＣピーク分子量を有する、重合体；
（Ｂ）次式の化合物およびそれらの反応性原料からなる群から選択した、少なくとも１種のカルボン酸反応物：
【化１】
1999071592.tif 000001
ここで、各Ｒ３およびＲ５は、独立して、Ｈまたはヒドロカルビル基であり、Ｒ４は、二価ヒドロカルビレン基であり、そしてｎは、０または１である；
ここで、（Ａ）および（Ｂ）がまず反応して、中間体を形成し、次いで、該中間体は、以下の（Ｃ）および必要に応じて（Ｄ）と反応する：
（Ｃ）アンモニアまたはヒドラジンまたはその構造内に少なくとも１個の縮合可能Ｈ−Ｎ基が存在することにより特徴付けられるアミンの少なくとも１種；および
（Ｄ）ヒドロカルビル置換カルボン酸、そのラクトン、無水物およびエステルの少なくとも１種。
【請求項２】
前記少なくとも１種の反応物（Ｂ）が、グリオキシル酸またはその水和物である、請求項１に記載の組成物。
【請求項３】
前記少なくとも１種の反応物（Ｂ）が、次式の化合物である、請求項１に記載の組成物：
【化２】
1999071592.tif 000002
ここで、各Ｒ３およびＲ５および各Ｒ９は、独立して、Ｈまたはヒドロカルビル基であり、Ｒ４は、二価ヒドロカルビレン基であり、そしてｎは、０または１である。
【請求項４】
１個のＲ９が、ヒドロカルビルであり、そして１個のＲ９が、Ｈである、請求項３に記載の組成物。
【請求項５】
前記少なくとも１種の反応物（Ｂ）が、低級アルキルグリオキシレート低級アルキルヘミアセタールである、請求項４に記載の組成物。
【請求項６】
前記少なくとも１種の反応物（Ｂ）が、メチルグリオキシレートメチルヘミアセタールである、請求項５に記載の組成物。
【請求項７】
前記少なくとも１種の反応物（Ｂ）が、グリオキシル酸の低級アルキルエステルである、請求項１に記載の組成物。
【請求項８】
前記オレフィン性不飽和重合体（Ａ）が、該オレフィン性不飽和重合体のＭｎを基準にして、１分子あたり、約１個〜約９０００個のオレフィン性二重結合を含有する、請求項１に記載の組成物。
【請求項９】
前記オレフィン性不飽和重合体（Ａ）が、該オレフィン性不飽和重合体のＭｎを基準にして、１分子あたり、平均して、約１個〜約１００個のオレフィン性二重結合を含有する、請求項８に記載の組成物。
【請求項１０】
前記オレフィン性不飽和重合体（Ａ）が、各２０個〜約７，０００個
の炭素原子あたり、１個のオレフィン性二重結合を含有する、請求項１に記載の組成物。
【請求項１１】
その構造内に、（Ａ）中のオレフィン性二重結合１モルあたり、平均して、約０．１個〜約４個の（Ｂ）から誘導した基が存在することにより、特徴付けられる、請求項１に記載の組成物。
【請求項１２】
前記オレフィン性不飽和炭化水素重合体が、以下からなる群から選択した少なくとも１種の構成要素である、請求項１に記載の組成物：
（１）ジエンの重合体；
（２）共役ジエンとビニル置換芳香族化合物との共重合体；
（３）２個〜約２８個の炭素原子を有する脂肪族オレフィンの重合体；
（４）オレフィン−ジエン共重合体；および
（５）星形重合体。
【請求項１３】
前記重合体の炭素−炭素結合の約９０％〜約９９．９％が、飽和である、請求項１２に記載の組成物。
【請求項１４】
前記炭化水素重合体が、（１）ジエンの重合体であり、該ジエンが、イソプレン、ブタジエンおよびピペリレンからなる群から選択した共役ジエンを包含する、請求項１２に記載の組成物。
【請求項１５】
前記炭化水素重合体が、（２）共役ジエンとビニル置換芳香族化合物との共重合体であり、該ビニル置換芳香族化合物が、スチレン系化合物である、請求項１２に記載の組成物。
【請求項１６】
前記共役ジエンが、イソプレン、ブタジエンおよびピペリレンからなる群から選択される、請求項１５に記載の組成物。
【請求項１７】
前記ジエンが、イソプレンおよび１，３−ブタジエンからなる群から選択され、そして前記スチレン系化合物が、スチレンである、請求項１６に記載の組成物。
【請求項１８】
前記炭化水素重合体が、ブロック共重合体である、請求項１７に記載の組成物。
【請求項１９】
前記炭化水素重合体が、（３）２個〜約２８個の炭素原子を有する脂肪族オレフィンの重合体であり、該脂肪族オレフィンが、α−オレフィンを包含する、請求項１２に記載の組成物。
【請求項２０】
前記重合体が、共重合体であり、前記α−オレフィンが、エチレンおよび３個〜約２８個の炭素原子を有する少なくとも１種のα−オレフィンを包含する、請求項１９に記載の組成物。
【請求項２１】
前記炭化水素重合体が、エチレン−プロピレン共重合体である、請求項２０に記載の組成物。
【請求項２２】
前記脂肪族オレフィンが、ブテンを包含する、請求項１９に記載の組成物。
【請求項２３】
前記重合体が、末端エテニリデンまたはビニリデンオレフィン性二重結合を含有する、請求項２２に記載の組成物。
【請求項２４】
前記炭化水素重合体が、（４）オレフィン−ジエン共重合体であり、該オレフィンが、α−オレフィンを包含する、請求項１２に記載の組成物。
【請求項２５】
前記オレフィンが、エチレンおよびプロピレンを包含し、前記ジエンが、非共役ジエンである、請求項２４に記載の組成物。
【請求項２６】
前記ジエンが、１，４−ヘキサジエン、ジシクロペンタジエン、エチリデンノルボルネン、ビニルノルボルネンおよび４−ビニルシクロヘキサンからなる群から選択される、請求項２５に記載の組成物。
【請求項２７】
前記炭化水素重合体が、（４）オレフィン−ジエン共重合体であり、該ジエンが、共役ジエンである、請求項１２に記載の組成物。
【請求項２８】
前記炭化水素重合体が、ブチルゴムである、請求項２７に記載の組成物。
【請求項２９】
前記炭化水素重合体が、（５）星形重合体であり、そのＭｎが、約１００，０００〜約２百万の範囲である、請求項１２に記載の組成物。
【請求項３０】
前記炭化水素重合体が、（５）星形重合体であり、そのアームが、ジエンから誘導される、請求項１２に記載の組成物。
【請求項３１】
前記アームが、ジエンおよびビニル置換芳香族化合物から誘導される、請求項３０に記載の組成物。
【請求項３２】
前記炭化水素重合体が、（５）星形重合体であり、そのアームが、ポリイソブチレン基を含有する、請求項１２に記載の組成物。
【請求項３３】
前記アームが、イソブチレン−共役ジエン共重合体を含有する、請求項３２に記載の組成物。
【請求項３４】
前記アームが、実質的に水素化されている、請求項３０に記載の組成物。
【請求項３５】
前記アミンが、少なくとも２個の塩基性窒素原子を含有するポリアミンであり、その構造内に、少なくとも１個のＮＨ＜基が存在することにより、特徴付けられる、請求項１に記載の組成物。
【請求項３６】
前記ポリアミンが、アルキレンポリアミンである、請求項３５に記載の組成物。
【請求項３７】
前記アルキレンポリアミンが、次式に相当するものである、請求項３６に記載の組成物：
【化３】
1999071592.tif 000003
ここで、ｎは、１〜約１０であり、各Ｕは、独立して、ヒドロカルビレンであり、各Ｒｃは、独立して、水素原子、ヒドロカルビル基、または約３０個までの原子を有するヒドロキシ置換ヒドロカルビル基またはアミン置換ヒドロカルビル基であるか、または異なる窒素原子上の２個のＲｃ基は、一緒に結合して、Ｕ基を形成し得るが、但し、少なくとも１個のＲｃ基は、水素である。
【請求項３８】
前記アルキレンポリアミンが、エチレンポリアミンである、請求項３６に記載の組成物。
【請求項３９】
前記アルキレンポリアミンが、アルキレンポリアミンボトムスを包含する、請求項３６に記載の組成物。
【請求項４０】
前記ポリアミンが、約２００〜約２０００の範囲のＭｎを有するポリオキシエチレンポリアミンおよびポリオキシプロピレンポリアミンからなる群から選択したポリオキシアルキレンポリアミンである、請求項３６に記載の組成物。
【請求項４１】
前記アミン（Ｃ）が、少なくとも１種のヒドロキシ化合物と、少なくとも１個の第一級または第二級アミノ基を含有する少なくとも１種のポリアミン反応物との反応により得られる縮合生成物を包含し、該縮合生成物が、少なくとも１個の縮合可能な第一級または第二級アミノ基を有するポリアミン生成物であるとして特徴付けられ、該ポリアミン生成物が、（ｂ−ｉ）以下の一般式を有する少なくとも１種のヒドロキシ含有物質と、（ｂ−ｉｉ）少なくとも１個のＮ−Ｈ基を有する少なくとも１種のアミンとを接触させることにより、製造される、請求項１に記載の組成物：
【化４】
1999071592.tif 000004
ここで、各Ｒは、独立して、Ｈまたは炭化水素ベースの基であり、Ｙは、Ｏ、ＮおよびＳからなる群から選択され、Ｘは、多価炭化水素ベースの基であり、Ａは、多価炭化水素ベースの基であり、ｎは、１または２であり、ｚは、０または１であり、ｐは、０または１であり、ｑは、１〜約１０の範囲であり、そしてｍは、１〜約１０の範囲である。
【請求項４２】
前記アミン（Ｃ）が、ポリアミンと、カルボン酸、そのラクトン、無水物またはエステルとの反応生成物の少なくとも１種を包含し、該反応生成物が、少なくとも１個の縮合可能Ｎ−Ｈ基を含有する、請求項１に記載の組成物。
【請求項４３】
前記反応物（Ｄ）が、ヒドロカルビル置換カルボン酸、そのラクトン、無水物およびエステルの少なくとも１種を包含する、請求項１に記載の組成物。
【請求項４４】
必要に応じて、酸触媒の存在下にて、以下の（Ａ）、（Ｂ）、（Ｃ
）、および必要に応じて（Ｄ）を含有する混合物を反応させることを包含する方法：
（Ａ）オレフィン性不飽和炭化水素重合体であって、該重合体は、それが星形重
合体でないとき、約２０，０００〜約５００，０００の範囲のＭｎを有し、それが星形重合体のとき、約４，０００，０００までのＧＰＣピーク分子量を有する、重合体；
（Ｂ）次式の化合物およびそれらの反応性原料からなる群から選択した、少なくとも１種のカルボン酸反応物：
【化５】
1999071592.tif 000005
ここで、各Ｒ３およびＲ５は、独立して、Ｈまたはヒドロカルビル基であり、Ｒ４は、二価ヒドロカルビレン基であり、そしてｎは、０または１である；
ここで、（Ａ）および（Ｂ）がまず反応して、中間体を形成し、次いで、該中間体は、以下の（Ｃ）および必要に応じて（Ｄ）と反応する：
（Ｃ）アンモニアまたはヒドラジンまたはその構造内に少なくとも１個の縮合可能Ｈ−Ｎ基が存在することにより特徴付けられるアミンの少なくとも１種；および
（Ｄ）ヒドロカルビル置換カルボン酸、そのラクトン、無水物およびエステルの少なくとも１種。
【請求項４５】
（Ａ）が、さらに、前記約２０，０００〜約５００，０００の範囲のＭｎを有
するオレフィン性不飽和重合体中の炭素−炭素二重結合１モルあたり、約３００から２０，０００未満までの範囲のＭｎを有するオレフィン性不飽和重合体を、１炭素−炭素二重結合当量から約２モルまでで含有する、請求項４４に記載の方法。
【請求項４６】
約０．１〜約４モルの（Ｂ）が、（Ａ）中のオレフィン性二重結合の各モルと反応する、請求項４４に記載の方法。
【請求項４７】
（Ｂ）が、グリオキシル酸、グリオキシル酸の低級アルキルエステル、および低級アルキルグリオキシレート低級アルキルヘミアセタールからなる群から選択した少なくとも１種の構成要素である、請求項４４に記載の方法。
【請求項４８】
前記オレフィン性不飽和炭化水素重合体が、以下からなる群から選択した少なくとも１種の構成要素である、請求項４４に記載の方法：
（１）ジエンの重合体；
（２）共役ジエンとビニル置換芳香族化合物との共重合体；
（３）２個〜約２８個の炭素原子を有する脂肪族オレフィンの重合体；
（４）オレフィン−ジエン共重合体；および
（５）星形重合体。
【請求項４９】
押出機中で行われる、請求項４４に記載の方法。
【請求項５０】
前記アミン（Ｃ）が、ポリアミンである、請求項４４に記載の方法。
【請求項５１】
さらに、（Ｄ）ヒドロカルビル置換カルボン酸、そのラクトン、無水物およびエステルの少なくとも１種を包含する、請求項４４に記載の方法。
【請求項５２】
前記アミン（Ｃ）が、少なくとも１種のヒドロキシ化合物と、少なくとも１個の第一級または第二級アミノ基を含有する少なくとも１種のポリアミン反応物との反応により得られる縮合生成物を包含し、該縮合生成物が、少なくとも１個の縮合可能な第一級または第二級アミノ基を有するポリアミン生成物であるとして特徴付けられ、該ポリアミン生成物が、（ｂ−ｉ）以下の一般式を有する少なくとも１種のヒドロキシ含有物質と、（ｂ−ｉｉ）少なくとも１個のＮ−Ｈ基を有する少なくとも１種のアミンとを接触させることにより、製造される、請求項４４に記載の方法：
【化６】
1999071592.tif 000006
ここで、各Ｒは、独立して、Ｈまたは炭化水素ベースの基であり、Ｙは、Ｏ、ＮおよびＳからなる群から選択され、Ｘは、多価炭化水素ベースの基であり、Ａは、多価炭化水素ベースの基であり、ｎは、１または２であり、ｚは、０または１であり、ｐは、０または１であり、ｑは、１〜約１０の範囲であり、そしてｍは、１〜約１０の範囲である。
【請求項５３】
前記アミン（Ｃ）が、ポリアミンと、ヒドロカルビル置換カルボン酸、そのラクトン、無水物およびエステルからなる群の構成要素との反応生成物の少なくとも１種を包含し、該反応生成物が、少なくとも１個の縮合可能Ｎ−Ｈ基を含有する、請求項４４に記載の方法。
【請求項５４】
前記アミン（Ｃ）が、アミノプロピルモルホリン、アミノエチルピペラジンおよびジメチルアミノプロピルアミンからなる群の少なくとも１種の構成要素を包含する、請求項４４に記載の方法。
【請求項５５】
請求項４４に記載の方法により調製した生成物。
【請求項５６】
約９９重量％〜約５０重量％の実質的に不活性な有機希釈剤、および約１重量％〜約５０重量％の請求項１に記載の組成物を含有する、添加剤濃縮物。
【請求項５７】
約９９重量％〜約５０重量％の実質的に不活性な有機希釈剤、および約１重量％〜約５０重量％の請求項５５に記載の生成物を含有する、添加剤濃縮物。
【請求項５８】
主要量の潤滑粘性のあるオイルおよび少量の請求項１に記載の組成物を含有する潤滑油組成物。
【請求項５９】
主要量の潤滑粘性のあるオイルおよび少量の請求項５５に記載の生成物を含有する潤滑油組成物。
【請求項６０】
前記（Ａ）のオレフィン性不飽和炭化水素重合体が、以下から選択される、請求項１に記載の組成物：
（１）共役ジエンとビニル置換芳香族化合物との共重合体；および
（２）星形重合体。